(57)【要約】【課題】６つのレンズ群を含むズームレンズにおける高性能化に有利なズームレンズを提供する。【解決手段】正屈折力の第１レンズ群Ｇ１、負屈折力の第２レンズ群Ｇ２、正屈折力の第３レンズ群Ｇ３、負屈折力の第４レンズ群Ｇ４、第５レンズ群Ｇ５、正屈折力の第６レンズ群Ｇ６を有し、各レンズ群の間の各々の間隔を変化させることにより、広角端から望遠端の変倍を行い、第１レンズ群Ｇ１と第３レンズ群Ｇ３との距離が広角端よりも望遠端にて狭まる、または、広角端から望遠端への変倍に際して第１レンズ群Ｇ１が静止し、第２レンズ群Ｇ２から第５レンズ群Ｇ５は移動する。【選択図】図１
2014153400.tif 000002
【特許請求の範囲】
【請求項１】
物体側から像側に順に、
正屈折力の第１レンズ群、
負屈折力の第２レンズ群、
正屈折力の第３レンズ群、
負屈折力の第４レンズ群、
レンズを含む第５レンズ群、
正屈折力の第６レンズ群  を有し、
前記第１レンズ群と前記第２レンズ群との間の距離は、広角端よりも望遠端にて広がり、
前記第２レンズ群と前記第３レンズ群との間の距離は、広角端よりも望遠端にて狭まり、
前記第３レンズ群と前記第４レンズ群との間の距離は広角端から望遠端への変倍の際に変化し、
前記第４レンズ群と前記第５レンズ群との間の距離は広角端から望遠端への変倍の際に変化し、
前記第５レンズ群と前記第６レンズ群との間の距離は広角端から望遠端への変倍の際に変化し、
前記第１レンズ群と前記第３レンズ群との距離は、広角端よりも望遠端にて狭まる
ことを特徴とするズームレンズ。
【請求項２】
物体側から像側に順に、
正屈折力の第１レンズ群、
負屈折力の第２レンズ群、
正屈折力の第３レンズ群、
負屈折力の第４レンズ群、
レンズを含む第５レンズ群、
正屈折力の第６レンズ群  を有し、
前記第１レンズ群は、広角端から望遠端への変倍時に位置が静止し、
前記第２レンズ群、前記第３レンズ群、前記第４レンズ群、前記第５レンズ群は広角端から望遠端への変倍に際して移動し、
前記第１レンズ群と前記第２レンズ群との間の距離は、広角端よりも望遠端にて広がり、
前記第２レンズ群と前記第３レンズ群との間の距離は、広角端よりも望遠端にて狭まり、
前記第３レンズ群と前記第４レンズ群との間の距離は広角端から望遠端への変倍の際に変化し、
前記第４レンズ群と前記第５レンズ群との間の距離は広角端から望遠端への変倍の際に変化し、
前記第５レンズ群と前記第６レンズ群との間の距離は広角端から望遠端への変倍の際に変化する
ことを特徴とするズームレンズ。
【請求項３】
前記第１レンズ群が、広角端から望遠端への変倍時に位置が静止している
ことを特徴とする請求項１記載のズームレンズ。
【請求項４】
前記第３レンズ群が、広角端に対して望遠端にて物体側に位置する
ことを特徴とする請求項１から３の何れかに記載のズームレンズ。
【請求項５】
前記第３レンズ群が、以下の条件式（１）を満足する
ことを特徴とする請求項４に記載のズームレンズ。
０．２＜ΔＧ３／ｆ３＜１        （１）
ただし、
ΔＧ３は、前記第３レンズ群の広角端に対する望遠端での位置の変位量であり、物体側へ
の変位を正とし、
ｆ３は、前記第３レンズ群の焦点距離、
である。
【請求項６】
前記第２レンズ群と前記第４レンズ群との間に配置され広角端に対して望遠端にて物体側に移動する明るさ絞りを有する
ことを特徴とする請求項４または５の何れかに記載のズームレンズ。
【請求項７】
前記明るさ絞りは前記第２レンズ群と前記第３レンズ群との間に配置される
ことを特徴とする請求項６に記載のズームレンズ。
【請求項８】
前記明るさ絞りは、広角端よりも望遠端にて最小Ｆナンバー時での開口サイズが大きい
ことを特徴とする請求項６または７の何れかに記載のズームレンズ。
【請求項９】
前記第４レンズ群と前記第５レンズ群が、広角端から望遠端への変倍時に移動する
ことを特徴とする請求項１に記載のズームレンズ。
【請求項１０】
前記第４レンズ群と前記第５レンズ群は、フォーカシング動作の際に移動する
ことを特徴とする請求項１から９の何れかに記載のズームレンズ。
【請求項１１】
前記第５レンズ群は負の屈折力を有し、広角端時における近距離へのフォーカシング時の移動方向と望遠端時における近距離へのフォーカシング時の移動方向が前記第４レンズ群と前記第５レンズ群とで異なる
ことを特徴とする請求項１０に記載のズームレンズ。
【請求項１２】
前記第５レンズ群は、負の屈折力を有する
ことを特徴とする請求項１から１１の何れかに記載のズームレンズ。
【請求項１３】
前記第５レンズ群は、正の屈折力を有する
ことを特徴とする請求項１から１０の何れかに記載のズームレンズ。
【請求項１４】
前記第６レンズ群が、広角端から望遠端への変倍時に位置が静止している
ことを特徴とする請求項１から１３の何れかに記載のズームレンズ。
【請求項１５】
前記第２レンズ群は、物体側から像側に順に、正レンズ、負レンズ、正レンズの３枚接合レンズ成分を有する
ことを特徴とする請求項１から１４の何れかに記載のズームレンズ。
ここで、レンズ成分とは、光路中にて空気と接する屈折面が物体側面と像側面の２つのみとなるレンズプロックである。
【請求項１６】
前記３枚接合レンズ成分が、以下の条件式（２）を満足する
ことを特徴とする請求項１から１５の何れかに記載のズームレンズ。
１＜（ｒ２１−ｒ２２）／（ｒ２１＋ｒ２２）＜５        （２）
ただし、
ｒ２１は、前記３枚接合レンズ成分中の前記負レンズの物体側面の近軸曲率半径、
ｒ２２は、前記３枚接合レンズ成分中の前記負レンズの像側面の近軸曲率半径、
である。
【請求項１７】
前記第３レンズ群は、負レンズと複数の正レンズを有し、以下の条件式（３）、（４）を満足する
ことを特徴とする請求項１から１６の何れかに記載のズームレンズ。
７５＜νｄ３ｐ＜１００      （３）
１．４＜ｆ３１ｐ／ｆ３＜３．７  （４）
ただし、
νｄ３ｐは、前記第３レンズ群中の全ての正レンズのｄ線基準のアッベ数のうちの最大値、
ｆ３１ｐは、前記第３レンズ群中で最も物体側の正レンズの焦点距離、
ｆ３は、前記第３レンズ群の焦点距離、
である。
【請求項１８】
前記第４レンズ群は１枚の負レンズからなり、
以下の条件式（５）を満足する
ことを特徴とする請求項１から１７の何れかに記載のズームレンズ。
０．６＜（ｒ４１−ｒ４２）／（ｒ４１＋ｒ４２）＜２      （５）
ただし、
ｒ４１は、前記第４レンズ群中の前記負レンズの物体側面の近軸曲率半径、
ｒ４２は、前記第４レンズ群中の前記負レンズの像側面の近軸曲率半径、
である。
【請求項１９】
前記第５レンズ群は、１枚のレンズからなり
以下の条件式（６）を満足する
ことを特徴とする請求項１から１７の何れかに記載のズームレンズ。
−１＜（ｒ５１−ｒ５２）／（ｒ５１＋ｒ５２）＜４      （６）
ただし、
ｒ５１は、前記第５レンズ群中の前記レンズの物体側面の近軸曲率半径、
ｒ５２は、前記第５レンズ群中の前記レンズの像側面の近軸曲率半径、
である。
【請求項２０】
前記第５レンズ群は、１枚の負レンズからなり
以下の条件式（６−１）を満足する
ことを特徴とする請求項１２に記載のズームレンズ。
０＜（ｒ５１−ｒ５２）／（ｒ５１＋ｒ５２）＜４      （６−１）
【請求項２１】
前記第５レンズ群は、１枚の正レンズからなり
以下の条件式（６−２）を満足する
ことを特徴とする請求項１３に記載のズームレンズ。
−１＜（ｒ５１−ｒ５２）／（ｒ５１＋ｒ５２）＜０      （６−２）
【請求項２２】
望遠端にて、無限遠合焦状態から至近合焦状態へのフォーカシングの際に、前記第４レンズ群と前記第５レンズ群が以下の条件式（７）を満足して移動する
ことを特徴とする請求項１から２１の何れかに記載のズームレンズ。
０．２＜｜ΔＧ５（Ｔ）／ΔＧ４（Ｔ）｜＜２      （７）
ただし、
ΔＧ４（Ｔ）は、望遠端における前記第４レンズ群の無限遠合焦状態から至近合焦状態へ
のフォーカシングの際の移動量、
ΔＧ５（Ｔ）は、望遠端における前記第５レンズ群の無限遠合焦状態から至近合焦状態へ
のフォーカシングの際の移動量、
である。
【請求項２３】
以下の条件式（８）、（９）を満足する
ことを特徴とする請求項１から２２の何れかに記載のズームレンズ。
３．２＜ｆｔ／ｆｗ＜６    （８）
１．４＜ＦＮＯ（Ｔ）＜３．２    （９）
ただし、
ｆｔは、前記ズームレンズの望遠端での焦点距離、
ｆｗは、前記ズームレンズの広角端での焦点距離、
ＦＮＯ（Ｔ）は、前記ズームレンズの望遠端でのＦナンバー
である。
【発明の詳細な説明】
【技術分野】
【０００１】
本発明はズームレンズに関するものである。
【背景技術】
【０００２】
従来より、Ｆ２．８クラスの大口径望遠ズームレンズとして、例えば、特許文献１あるいは特許文献２にて示されるようなズームレンズが提案されている。
【０００３】
特許文献１には、各レンズ群の屈折力が、物体側から正、負、正、正の４群ズームレンズが開示されている。このタイプのズームレンズにおいて、負屈折力の第２レンズ群と正屈折力の第３レンズ群の移動によりズーミングを行っている。そして、正屈折力の第１レンズ群を前群と後群に分け、後群の移動にてフォーカシングを行っている。この構成にて、変倍比が３倍クラスの交換レンズ用途の望遠ズームレンズとなっている。
【０００４】
特許文献２には、各レンズ群の屈折力が、物体側から正、負、正、負、正の５群ズームレンズが開示されている。このタイプのズームレンズにおいて、負屈折力の第２レンズ群、正屈折力の第３レンズ群、負屈折力の第４レンズ群の移動によりズーミングを行っている。そして、正屈折力の第３レンズ群の移動にてフォーカシングを行っている。この構成にて、変倍比が３倍クラスの交換レンズ用途の望遠ズームレンズとなっている。
【０００５】
一方、近年では、静止画だけでなく動画撮影へのニーズが高まっており、レンズ一体型カメラやレンズ交換式のデジタルカメラにおいても動画撮影機能に最適化されたレンズ系が求められている。
【０００６】
一般に、動画撮影においては、オートフォーカス機能を常時働かせて合焦状態を維持しておく必要がある。その方法のひとつとして、フォーカシングレンズ群を合焦位置の前後に、常に微小量動かす（ウォブリングと言われる）方式が知られている。ウォブリングを行うことによって撮像面上の像のコントラストの変化を測定し、合焦状態が変化したと判断した場合には、再度、合焦し直すようにフォーカシングレンズ群を適切に移動させる。このようなウォブリング機能によって、ズームレンズと被写体との距離が変化しても、常に合焦状態を維持し続けるが、カメラ本体のフレームレートに応じて、非常に高速な動作が必要とされる。適切な駆動制御を行うため、フォーカシングレンズ群には軽量化や移動量の少なさ等が求められる。また、ウォブリングに伴う音の低減も、動画撮影時の雑音の低減のため求められる。なお、通常はフォーカシングレンズ群とウォブリングレンズ群とは同一である事が多いが、両者を別々のレンズ群として構成されることもある。
【０００７】
また、異なる瞳位置を通過した光線から撮像面上にて被写体画像の位相差を検知し被写体距離を算出してフォーカシングを行う方式も知られている。
【先行技術文献】
【特許文献】
【０００８】
【特許文献１】特開２００７−２１２８３０号公報
【特許文献２】特開２０１０−１９１３３６号公報
【発明の概要】
【発明が解決しようとする課題】
【０００９】
ズームレンズにおいては、変倍比の確保や、明るさの確保、小型化などの最適化が求められる。本発明は上述の課題に鑑みてなされたものであり、変倍比の確保と明るさの確保の両立に有利なズームレンズを提供するものである。
【課題を解決するための手段】
【００１０】
上述の課題を解決するための第１の側面における本発明のズームレンズは、物体側から像側に順に、正屈折力の第１レンズ群、負屈折力の第２レンズ群、正屈折力の第３レンズ群、負屈折力の第４レンズ群、レンズを含む第５レンズ群、正屈折力の第６レンズ群を有し、第１レンズ群と第２レンズ群との間の距離は、広角端よりも望遠端にて広がり、第２レンズ群と第３レンズ群との間の距離は広角端よりも望遠端にて狭まり、第３レンズ群と第４レンズ群との間の距離は広角端から望遠端への変倍の際に変化し、第４レンズ群と第５レンズ群との間の距離は広角端から望遠端への変倍の際に変化し、第５レンズ群と第６レンズ群との間の距離は広角端から望遠端への変倍の際に変化し、第１レンズ群と第３レンズ群との距離は、広角端よりも望遠端にて狭まることを特徴としている。
【００１１】
上述の課題を解決するための第２の側面における本発明のズームレンズは、物体側から像側に順に、正屈折力の第１レンズ群、負屈折力の第２レンズ群、正屈折力の第３レンズ群、負屈折力の第４レンズ群、レンズを含む第５レンズ群、正屈折力の第６レンズ群を有し、第１レンズ群は、広角端から望遠端への変倍時に位置が静止し、第２レンズ群、第３レンズ群、第４レンズ群、第５レンズ群は広角端から望遠端への変倍に際して移動し、第１レンズ群と第２レンズ群との間の距離は、広角端よりも望遠端にて広がり、第２レンズ群と第３レンズ群との間の距離は広角端よりも望遠端にて狭まり、第３レンズ群と第４レンズ群との間の距離は広角端から望遠端への変倍の際に変化し、第４レンズ群と第５レンズ群との間の距離は広角端から望遠端への変倍の際に変化し、第５レンズ群と第６レンズ群との間の距離は広角端から望遠端への変倍の際に変化することを特徴としている。
【発明の効果】
【００１２】
本発明によれば、６つのレンズ群を含むズームレンズにおける高性能化に有利なズームレンズを提供できる。
【図面の簡単な説明】
【００１３】
【図１】本発明のズームレンズの実施例１の無限遠物点合焦時の広角端と中間焦点距離状態と望遠端でのレンズ断面図、及び、広角端と中間焦点距離状態、中間焦点距離状態と望遠端の各レンズ群の変位方向、広角端、中間焦点距離状態、望遠端でのフォーカシング方式を表す図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】実施例１の無限遠距離合焦時の収差図である。
【図９】実施例１の物像間距離が０．７ｍとなる至近距離合焦時の収差図である。
【図１０】実施例２の無限遠距離合焦時の収差図である。
【図１１】実施例２の物像間距離が０．７ｍとなる至近距離合焦時の収差図である。
【図１２】実施例３の無限遠距離合焦時の収差図である。
【図１３】実施例３の物像間距離が０．７ｍとなる至近距離合焦時の収差図である。
【図１４】実施例４の無限遠距離合焦時の収差図である。
【図１５】実施例４の物像間距離が０．７ｍとなる至近距離合焦時の収差図である。
【図１６】実施例５の無限遠距離合焦時の収差図である。
【図１７】実施例５の物像間距離が０．７ｍとなる至近距離合焦時の収差図である。
【図１８】実施例６の無限遠距離合焦時の収差図である。
【図１９】実施例６の物像間距離が０．７ｍとなる至近距離合焦時の収差図である。
【図２０】実施例７の無限遠距離合焦時の収差図である。
【図２１】実施例７の物像間距離が０．７ｍとなる至近距離合焦時の収差図である。
【図２２】一実施形態のズームレンズを交換レンズとして用いた撮像装置の断面図である。
【図２３】一実施形態のデジタルカメラの外観を示す前方斜視図である。
【図２４】一実施形態のデジタルカメラの外観を示す後方斜視図である。
【図２５】他の実施形態のデジタルカメラの外観を示す前方斜視図である。
【図２６】他の実施形態のデジタルカメラの外観を示す背面図である。
【図２７】他の実施形態のデジタルカメラの構成を示す模式的な横断面図である。
【図２８】本実施形態のデジタルカメラの制御構成を示すブロック図である。
【発明を実施するための形態】
【００１４】
以下に、本発明の好ましい実施の形態を、添付の図面に基づき説明する。
【００１５】
図１から７は、本発明の実施例１〜実施例７のズームレンズを光軸に沿ってとった断面図である。各図において（ａ）は広角端（ＷＥ）、（ｂ）は中間焦点距離状態（ＳＴ）、（ｃ）は望遠端（ＴＥ）を示している。
【００１６】
本発明の実施形態のズームレンズは、物体側から像側に順に、正屈折力の第１レンズ群Ｇ１、負屈折力の第２レンズ群Ｇ２、正屈折力の第３レンズ群Ｇ３、負屈折力の第４レンズ群Ｇ４、レンズを含む第５レンズ群Ｇ５、正屈折力の第６レンズ群Ｇ６を有している。
【００１７】
そして、第１レンズ群Ｇ１と第２レンズ群Ｇ２との間の距離は、広角端よりも望遠端にて広がり、第２レンズ群Ｇ２と第３レンズ群Ｇ３との間の距離は、広角端よりも望遠端にて狭まり、第３レンズ群Ｇ３と第４レンズ群Ｇ４との間の距離は広角端から望遠端への変倍の際に変化し、第４レンズ群Ｇ４と第５レンズ群Ｇ５との間の距離は広角端から望遠端への変倍の際に変化し、第５レンズ群Ｇ５と前記第６レンズ群Ｇ６との間の距離は広角端から望遠端への変倍の際に変化する。
【００１８】
このように、正屈折力の第１レンズ群、負屈折力の第２レンズ群、正屈折力の第３レンズ群、負屈折力の第４レンズ群を配置して、相互の間隔を変化させることで、全長の短縮化と変倍比の確保を行っている。
【００１９】
第６レンズ群Ｇ６は正の屈折力を持ち、射出瞳を像面から離す効果を持つ。撮像素子の斜入射特性によるシェーディングの低減を行っている。
【００２０】
第４レンズ群Ｇ４と第６レンズ群Ｇ６との間に第５レンズ群Ｇ５を配置しているが、第５レンズ群Ｇ５は、変倍に伴う収差変動の抑制などを行っている。
【００２１】
このような構成にて、実施の形態では、第１レンズ群Ｇ１と第３レンズ群Ｇ３との距離は、広角端よりも望遠端にて狭まる。
【００２２】
第１レンズ群と第３レンズ群との距離が、広角端よりも望遠端にて距離が小さくなることで、望遠端にて、入射瞳位置を第１レンズ群から離れすぎないようにしている。そのため、第１レンズ群の有効径を小さくしつつ、望遠端における入射瞳径の確保も行えている。
【００２３】
また、実施の形態では、第１レンズ群Ｇ１は、広角端から望遠端への変倍時に位置が静止している。
【００２４】
レンズ系内へのゴミの侵入低減や、レンズ群移動時の音漏れの抑制、レンズ系の変倍に伴う重量バランスの変動の低減に有利となる。
【００２５】
第４レンズ群Ｇ４と第５レンズ群Ｇ５が、広角端から望遠端への変倍時に移動する。
収差の低減と変倍比の確保の両立に有利となる。
【００２６】
更には、第２レンズ群Ｇ２と第３レンズ群Ｇ３が、広角端から望遠端への変倍に際して移動する。
【００２７】
第２レンズ群、第３レンズ群、第４レンズ群、第５レンズ群が広角端から望遠端への変倍に際して移動することで、収差を抑えた変倍を行っている。
【００２８】
第３レンズ群Ｇ３の移動について、第３レンズ群Ｇ３が、以下の条件式（１）を満足している。
０．２＜ΔＧ３／ｆ３＜１        （１）
ただし、
ΔＧ３は、第３レンズ群の広角端に対する望遠端での位置の変位量であり、物体側への変
位を正とし、
ｆ３は、第３レンズ群の焦点距離、
である。
【００２９】
上限を上回らないようにして、第３レンズ群の移動量を抑え、レンズ全長の増大を抑えている。また、第３レンズ群の屈折力を抑え、収差低減、レンズ枚数の低減につなげている。
【００３０】
下限を下回らないようにして、第１レンズ群の径方向の小型化をしている。
【００３１】
ズームレンズは第２レンズ群Ｇ２と第４レンズ群Ｇ４との間に配置され広角端に対して望遠端にて物体側に移動する明るさ絞りＳを有している。より具体的には、明るさ絞りＳは第２レンズ群Ｇ２と第３レンズ群Ｇ３との間に配置されている。
【００３２】
その構成により、ズームレンズ系全体の小径化と収差低減の両立を行っている。
【００３３】
明るさ絞りＳは、広角端よりも望遠端にて最小Ｆナンバー時での開口サイズが大きい構成としている。
【００３４】
広角端付近にてビネッティングによる像面中心と像面周辺との光量差を抑えられ、広角端付近での画質向上と小径化を両立している。
第４レンズ群Ｇ４と第５レンズ群Ｇ５は、フォーカシング動作の際に移動している。
【００３５】
第４レンズ群は、径方向を小さくしやすいレンズ群である。また、第５レンズ群は軽量化を行いやすいレンズ群である。これらのレンズ群をフォーカシングレンズ群とすることで、フォーカシング時の駆動負担（電力負担等）を低減している。ここで、複数のレンズ群をフォーカシング時に移動するレンズ群としているので、遠距離と至近の双方の合焦時における収差の低減と最短撮影距離の短縮化も行えている。
【００３６】
第５レンズ群Ｇ５が負の屈折力を有する実施例１から５、７では、広角端時における近距離へのフォーカシング時の移動方向と望遠端時における近距離へのフォーカシング時の移動方向が第４レンズ群Ｇ４と前記第５レンズ群Ｇ５とで異なっている。
【００３７】
その構成にて、無限遠合焦時、至近合焦時の双方にて収差を抑えている。
【００３８】
実施例１から５、７のズームレンズでは第５レンズ群Ｇ５は、負の屈折力を有している。
【００３９】
実施例６のズームレンズでは第５レンズ群Ｇ５は、正の屈折力を有している。
【００４０】
何れの場合も、第４レンズ群の前後の空気間隔を変化させることにより、変倍比の確保と収差の低減の両立に作用している。
第６レンズ群Ｇ６が、広角端から望遠端への変倍時に位置が静止している。
【００４１】
その構成にて、ズームレンズ系内へのゴミの侵入の低減、レンズ駆動時の音の漏洩の低減をしている。
第２レンズ群Ｇ２は、物体側から像側に順に、正レンズ、負レンズ、正レンズの３枚接合レンズ成分を有している。
【００４２】
ここで、レンズ成分とは、光路中にて空気と接する屈折面が物体側面と像側面の２つのみとなるレンズプロックである。
【００４３】
広角端での歪曲収差や非点収差、望遠端での球面収差やコマ収差、倍率の色収差の発生を抑えやすい構成となり、第２レンズ群の変倍機能を十分に確保している。
【００４４】
特に、この３枚接合レンズ成分中の負レンズが、以下の条件式（２）を満足している。
【００４５】
１＜（ｒ２１−ｒ２２）／（ｒ２１＋ｒ２２）＜５        （２）
ただし、
ｒ２１は、３枚接合レンズ成分中の負レンズの物体側面の近軸曲率半径、
ｒ２２は、３枚接合レンズ成分中の負レンズの像側面の近軸曲率半径、
である。
【００４６】
実施の形態では、条件式（２）を満たすことで収差の低減をより行いやすい構成としている。
【００４７】
第２レンズ群Ｇ２から発散する軸上光束を受ける第３レンズ群Ｇ３は、径方向が大きくなりやすい。実施形態のような明るいズームレンズの場合、第３レンズ群Ｇ３にて軸上光束径が特に大きくなる。第３レンズ群Ｇ３は、負レンズと複数の正レンズを有しており、望遠側で発生する球面収差の補正を行っている。
【００４８】
更には、以下の条件式（３）、（４）を満足している。
【００４９】
７５＜νｄ３ｐ＜１００      （３）
１．４＜ｆ３１ｐ／ｆ３＜３．７  （４）
ただし、
νｄ３ｐは、第３レンズ群中の全ての正レンズのｄ線基準のアッベ数のうちの最大値、
ｆ３１ｐは、第３レンズ群中で最も物体側の正レンズの焦点距離、
ｆ３は、第３レンズ群の焦点距離、
である。
【００５０】
実施形態のズームレンズは、望遠端でも明るいＦナンバーを維持しているため、色収差の補正が非常に重要となる。特に、望遠側での軸上色収差の補正を良好とすることで高性能化している。
【００５１】
条件式（３）の下限を下回らないようにして、軸上色収差補正を行っている。
上限を上回らないようにすることで材料コストを低減させている。
【００５２】
条件式（４）の下限を下回らないようにして、正レンズの屈折力を適度に抑えて収差をおさえ、上限を上回らないようにして最も物体側の正レンズの収束作用を十分確保して、後続するレンズの小型化をはかっている。
【００５３】
また、第３レンズ群Ｇ３中のもっとも物体側のレンズが正レンズであり、その像側に負レンズを配置し、更にその像側に正レンズが配置されている。より具体的には、第３レンズ群Ｇ３は物体側から順に正レンズ、正レンズ、負レンズ、正レンズ、正レンズの５枚のレンズで構成されている。
【００５４】
第３レンズ群の径方向の小型化と球面収差、コマ収差、非点収差、等の収差低減に有利となる。
【００５５】
第４レンズ群Ｇ４は１枚の負レンズからなり、第４レンズ群の軽量化を行っている。実施形態では第４レンズ群Ｇ４をフォーカシングレンズ群としているので、フォーカシング駆動機構への負担を軽減している。
【００５６】
第４レンズ群Ｇ４はウォブリングレンズ群としている。ウォブリングレンズ群の軽量化も同時に行っている。
【００５７】
第４レンズ群Ｇ４は、以下の条件式（５）を満足している。
【００５８】
０．６＜（ｒ４１−ｒ４２）／（ｒ４１＋ｒ４２）＜２      （５）
ただし、
ｒ４１は、第４レンズ群中の負レンズの物体側面の近軸曲率半径、
ｒ４２は、第４レンズ群中の負レンズの像側面の近軸曲率半径、
である。
【００５９】
第４レンズ群が条件式（５）を満たすことで、望遠端での球面収差の低減を行っている。フォーカシングに伴う第４レンズ群の球面収差の変動も抑えている。
【００６０】
第５レンズ群Ｇ５は、１枚のレンズからなり、第５レンズ群の軽量化を行っている。実施形態では第５レンズ群をフォーカシングレンズ群としているので、フォーカシング駆動機構への負担を軽減している。
第５レンズ群Ｇ５は、以下の条件式（６）を満足している。
【００６１】
−１＜（ｒ５１−ｒ５２）／（ｒ５１＋ｒ５２）＜４      （６）
ただし、
ｒ５１は、第５レンズ群中のレンズの物体側面の近軸曲率半径、
ｒ５２は、第５レンズ群中のレンズの像側面の近軸曲率半径、
である。
【００６２】
広角端での歪曲収差や望遠端での倍率色収差の低減をおこなっている。
【００６３】
実施例１から５、７のズームレンズでは第５レンズ群Ｇ５は、１枚の負レンズからなる。
【００６４】
そして、以下の条件式（６−１）を満足している。
【００６５】
０＜（ｒ５１−ｒ５２）／（ｒ５１＋ｒ５２）＜４      （６−１）
広角端での歪曲収差や望遠端での倍率色収差の低減をおこなっている。
【００６６】
実施例６では、第５レンズ群Ｇ５は、１枚の正レンズからなる。
そして、以下の条件式（６−２）を満足している。
【００６７】
−１＜（ｒ５１−ｒ５２）／（ｒ５１＋ｒ５２）＜０      （６−２）
広角端での歪曲収差や望遠端での倍率色収差の低減をおこなっている。
【００６８】
望遠端にて、無限遠合焦状態から至近合焦状態へのフォーカシングの際に、第４レンズ群Ｇ４と第５レンズ群Ｇ５が以下の条件式（７）を満足して移動している。
【００６９】
０．２＜｜ΔＧ５（Ｔ）／ΔＧ４（Ｔ）｜＜２      （７）
ただし、
ΔＧ４（Ｔ）は、望遠端における第４レンズ群の無限遠合焦状態から至近合焦状態へのフ
ォーカシングの際の移動量、
ΔＧ５（Ｔ）は、望遠端における第５レンズ群の無限遠合焦状態から至近合焦状態へのフ
ォーカシングの際の移動量、
である。
【００７０】
下限を下回らないようにして、第５レンズ群の移動量を確保し、収差補正の効果を十分に確保している。
【００７１】
上限を上回らないようにして、第５レンズ群の移動量を適度に抑え、望遠端での倍率色収差を低減している。
【００７２】
以下の条件式（８）、（９）を満足している。
【００７３】
３．２＜ｆｔ／ｆｗ＜６    （８）
１．４＜ＦＮＯ（Ｔ）＜３．０    （９）
ただし、
ｆｔは、ズームレンズの望遠端での焦点距離、
ｆｗは、ズームレンズの広角端での焦点距離、
ＦＮＯ（Ｔ）は、ズームレンズの望遠端でのＦナンバー
である。
【００７４】
条件式（８）の下限を下回らない変倍比として画角変化をつけやすくしつつ、上限を上回らないようにしてズームレンズの小型化を行いやすくしている。
【００７５】
条件式（９）の下限を下回らないようにしてレンズの径方向を小さくしつつ、上限を上回らないようにして望遠端での明るさを確保している。
【００７６】
実施例については後に例示するが、上述のいずれかのズームレンズと、その像側に配置され、ズームレンズにより形成された像を撮像する撮像面を持ち、その像を電気信号に変換する撮像素子とを有する撮像装置として用いることができる。
【００７７】
上述の各構成や条件式は、それらのうちの複数を同時に満足することがより好ましい。
【００７８】
また、ズームレンズがフォーカシング機構を備える場合は、上述の各構成、条件式はズームレンズが最も遠距離に合焦した状態での構成とする。
【００７９】
また、上述の各条件式について、更に以下のようにすると、その効果をより確実にできる。
【００８０】
条件式（１）について
下限値を０．３、さらには０．３５とすることがより好ましい。
上限値を０．６５、さらには０．６１とすることがより好ましい。
【００８１】
条件式（２）について
下限値を２、さらには２．５とすることがより好ましい。
上限値を４，５、さらには４とすることがより好ましい。
【００８２】
条件式（３）について
下限値を８０とすることがより好ましい。
上限値を９６とすることがより好ましい。
【００８３】
条件式（４）について
下限値を１．８とすることがより好ましい。
上限値を２．７とすることがより好ましい。
【００８４】
条件式（５）について
下限値を１、さらには１．１とすることがより好ましい。
上限値を１．８、さらには１．６とすることがより好ましい。
【００８５】
条件式（６−１）について
下限値を０．２とすることがより好ましい。
上限値を３とすることがより好ましい。
【００８６】
条件式（６−２）について
下限値を−０．５とすることがより好ましい。
上限値を−０．１とすることがより好ましい。
【００８７】
条件式（７）について
下限値を０．４、さらには０．４５とすることがより好ましい。
上限値を１．６、さらには１．５とすることがより好ましい。
【００８８】
条件式（８）について
下限値を３．４とすることがより好ましい。
上限値を５とすることがより好ましい。
【００８９】
条件式（９）について
下限値を２．０とすることがより好ましい。
上限値を３．０とすることがより好ましい。
【実施例】
【００９０】
本発明の実施例１から実施例７のズームレンズについて図を用いて説明する。
【００９１】
実施例１から７のいずれの実施例も、物体側より順に、正屈折力の第１レンズ群Ｇ１、負屈折力の第２レンズ群Ｇ２、正屈折力の第３レンズ群Ｇ３、負屈折力の第４レンズ群Ｇ４、レンズを有する第５レンズ群Ｇ５、正屈折力の第６レンズ群Ｇ６から構成される。広角端から望遠端への変倍に際し、第１レンズ群は固定であり、第２レンズ群は像側へのみ移動し、第３レンズ群は物体側へのみ移動し、第４レンズ群は物体側へのみ移動し、第５レンズ群は光軸に添って往復移動し、第６レンズ群は像面に対し固定となっている。
【００９２】
明るさ絞りＳは、第３レンズ群Ｇ３の物体側直前に配置され、第３レンズ群と一体で移動する。
【００９３】
明るさ絞りＳの開口の最大径は、広角端から望遠端にかけて大きくなり、無限遠合焦状態にて焦点距離によらずＦナンバーがほぼ一定値（２．８８）となるように構成されている。
【００９４】
ズームレンズの像側には、フィルター類や撮像素子のカバーガラスを光学的に等価な部材としてあらわした平行平板Ｃと、撮像素子の撮像面Ｉが位置している。
【００９５】
実施例１から５、７の第５レンズ群Ｇ５は負の屈折力を持ち、広角端から望遠端への変倍に際し、先ず物体側に移動しその後像側へ移動する。遠距離から近距離へのフォーカシングに際し、広角端においては第４レンズ群Ｇ４と第５レンズ群Ｇ５は独立して像側へ移動する。望遠端においては第４レンズ群Ｇ４は像側へ、第５レンズ群Ｇ５は物体側へ移動する。第４レンズ群Ｇ４はウォブリング動作も行う。
【００９６】
実施例６の第５レンズ群Ｇ５は正の屈折力を持ち、広角端から望遠端への変倍に際し、先ず像側に移動しその後物体側へ移動する。遠距離から近距離へのフォーカシングに際し、広角端から望遠端において第４レンズ群Ｇ４と第５レンズ群Ｇ５は独立して像側へ移動する。第４レンズ群Ｇ４はウォブリング動作も行う。
【００９７】
何れの実施例も交換レンズシステム用途として最適な、大口径で高性能な望遠ズームレンズとなっている。
【００９８】
図１は、実施例１のズームレンズの断面図である。
【００９９】
第１レンズ群Ｇ１は、正レンズＬ１１と正レンズＬ１２と負レンズＬ１３と正レンズＬ１４の４枚のレンズにて構成される。
【０１００】
第２レンズ群Ｇ２は、正レンズＬ２１、負レンズＬ２２、正レンズＬ２３の３枚接合レンズ成分と負レンズＬ２４の４枚のレンズにて構成される。
【０１０１】
第３レンズ群Ｇ３は、両面非球面の正レンズＬ３１と正レンズＬ３２と負レンズＬ３３と正レンズＬ３４と両面非球面の正レンズＬ３５の５枚のレンズにて構成される。
【０１０２】
第４レンズ群Ｇ４は、像側面が非球面の１枚の負レンズＬ４１にて構成される。
【０１０３】
第５レンズ群Ｇ５は、１枚の負レンズＬ５１にて構成される。
【０１０４】
第６レンズ群Ｇ６は、１枚の正レンズＬ６１にて構成される。
【０１０５】
図２は、実施例２のズームレンズの断面図である。
【０１０６】
第１レンズ群Ｇ１と第２レンズ群Ｇ２と第６レンズ群Ｇ６については実施例１に同じである。
【０１０７】
第３レンズ群Ｇ３は、正レンズＬ３１と正レンズＬ３２と負レンズＬ３３と正レンズＬ３４と両面非球面の正レンズＬ３５の５枚のレンズにて構成される。
【０１０８】
第４レンズ群Ｇ４は、１枚の両面非球面の負レンズＬ４１にて構成される。
【０１０９】
第５レンズ群Ｇ５は、１枚の両面非球面の負レンズＬ５１にて構成される。
【０１１０】
図３は、実施例３のズームレンズの断面図である。
【０１１１】
第２レンズ群Ｇ２、第６レンズ群Ｇ６については実施例１の説明に、第３レンズ群Ｇ３、第４レンズ群Ｇ４、第５レンズ群Ｇ５については実施例２の説明に同じである。
【０１１２】
第１レンズ群Ｇ１は、正レンズＬ１１と負レンズＬ１２と正レンズＬ１３の３枚にて構成される。
【０１１３】
図４は、実施例４のズームレンズの断面図である。
【０１１４】
第２レンズ群Ｇ２、第５レンズ群Ｇ５、第６レンズ群Ｇ６については実施例１の説明に、第４レンズ群Ｇ４については実施例２の説明に、第１レンズ群Ｇ１については実施例３の説明に同じである。
【０１１５】
第３レンズ群は、正レンズＬ３１と、正レンズＬ３２と負レンズＬ３３の接合負レンズ成分と正レンズＬ３４と両面非球面の正レンズＬ３５の５枚にて構成される。
【０１１６】
図５は、実施例５のズームレンズの断面図である。
【０１１７】
第２レンズ群Ｇ２、第４レンズ群Ｇ４、第６レンズ群Ｇ６については実施例１の説明に、第５レンズ群Ｇ５については実施例２の説明に、第３レンズ群Ｇ３については実施例４の説明に同じである。
【０１１８】
第１レンズ群Ｇ１は、負レンズＬ１１と正レンズＬ１２の接合正レンズ成分と正レンズＬ１３の３枚にて構成される。
【０１１９】
図６は、実施例６のズームレンズの断面図である。
【０１２０】
第２レンズ群Ｇ２、第４レンズ群Ｇ４については実施例１の説明に、第３レンズ群Ｇ３については実施例２の説明に同じである。
【０１２１】
第１レンズ群Ｇ１は、負レンズＬ１１と正レンズＬ１２と正レンズＬ１３の３枚にて構成される。
【０１２２】
第５レンズ群Ｇ５は、１枚の正レンズＬ５１にて構成される。
【０１２３】
第６レンズ群Ｇ６は、像側面が非球面の１枚の正レンズＬ６１にて構成される。
【０１２４】
図７は、実施例７のズームレンズの断面図である。
【０１２５】
第２レンズ群Ｇ２、第５レンズ群Ｇ５については実施例１の説明に、第４レンズ群Ｇ４については実施例２の説明に、第１レンズ群Ｇ１については実施例３の説明に、第６レンズ群Ｇ６については実施例５の説明に同じである。
【０１２６】
第３レンズ群Ｇ３は、正レンズＬ３１と、正レンズＬ３２と負レンズＬ３３と正レンズＬ３４の３枚接合負レンズ成分と、両面非球面の正レンズＬ３５の５枚にて構成される。
【０１２７】
何れの実施例も、第１レンズ群Ｇ１と第６レンズ群Ｇ６を像面に対し固定としているので、鏡筒構造を簡素化することが可能となる。また、広角端（ＷＥ）から望遠端（ＴＥ）への変倍時の重心変化も少なく安定した保持が可能となる。さらに、広角端（ＷＥ）から望遠端（ＴＥ）への変倍時やフォーカシング時に発生する音の低減にも有利となっている。
【０１２８】
以下に上記実施例１〜実施例７の各種数値データを示す。
【０１２９】
面データには、面番号毎に各レンズ面（光学面）の曲率半径ｒ、面間隔ｄ、各レンズ（光学媒質）のｄ線（５８７．６ｎｍ）に対する屈折率ｎｄ、各レンズ（光学媒質）のｄ線のアッベ数νｄが示されている。曲率半径ｒ、面間隔ｄの単位はいずれもミリメートル（ｍｍ）である。面データ中、曲率半径に記載する“∞”は、無限大であることを示している。
【０１３０】
面番に＊印の付いた面は非球面である。非球面係数には、面データ中、非球面形状としたレンズ面に関するデータが示されている。非球面形状は、ｘを光の進行方向を正とした光軸とし、ｙを光軸と直交する方向にとると下記の式にて表される。
【０１３１】
ｚ＝（ｙ2／ｒ）／［１＋｛１−（１＋Ｋ）・（ｙ／ｒ）2｝1/2］
＋Ａ4ｙ4＋Ａ6ｙ6＋Ａ8ｙ8＋Ａ10ｙ10…
ただし、ｒは近軸曲率半径、Ｋは円錐係数、Ａ4、Ａ6、Ａ8、Ａ10はそれぞれ４次、６次、８次、１０次の非球面係数である。なお、記号“Ｅ”は、それに続く数値が１０を底にもつ、べき指数であることを示している。例えば「１．０Ｅ−５」は「１．０×１０-5」であることを意味している。
【０１３２】
ズームデータには、焦点距離、Ｆナンバー（Ｆｎｏ）、画角２ω（°）、可変する面間隔Ｄ、空気換算したバックフォーカス（ＢＦ）、レンズ全長、及び像高が示されている。単位は、Ｆナンバー及び画角を除き、いずれもミリメートル（ｍｍ）である。
【０１３３】
また、ＷＥは広角端、ＳＴは中間焦点距離状態、ＴＥは望遠端を示している。
【０１３４】
各群焦点距離データには、各レンズ群における焦点距離ｆ１〜ｆ６が示されている。単位はいずれもミリメートル（ｍｍ）である。
【０１３５】
数値実施例  1
面データ
面番号      ｒ           ｄ              ｎｄ           νｄ
1        161.8625       4.385           1.48749         70.23
2       -939.1645       0.150
3         73.7720       5.204           1.49700         81.54
4        252.3629       0.150
5         76.4145       2.500           1.80000         29.84
6         47.9471       1.555
7         49.2297       6.796           1.49700         81.54
8        315.6860       D8(可変)
9        208.6397       5.191           1.91082         35.25
10       -42.8331       1.600           1.69700         48.52
11        25.0886       2.709           1.92286         18.90
12        32.7854       4.591
13       -36.2846       1.500           1.83481         42.71
14       135.2384       D14(可変)
15明るさ絞り∞         1.250
16*       29.9169       4.096           1.74320         49.29
17*    -9370.4409       3.777
18        39.8922       5.573           1.43875         94.93
19       -32.6290       0.150
20        84.7715       1.400           1.90366         31.32
21        18.6481       3.264
22        48.7115       3.498           1.49700         81.54
23       -63.3717       0.150
24*       24.4196       3.565           1.58313         59.38
25*      536.4898       D25(可変)
26      -128.6809       1.200           1.74320         49.29
27*       16.0684       D27(可変)
28      -137.3219       1.200           1.48749         70.23
29        63.8881       D29(可変)
30        56.6262       4.565           1.76200         40.10
31       -41.8597       25.763
32          ∞          4.000           1.51633         64.14
33          ∞          0.800
像面(撮像面)
非球面係数
第16面
K=0,A4=9.1265E-06,A6=4.0231E−08,A8=1.1599E-10,A10=0.0000E+00
第17面
K=0,A4=3.2233E-05,A6=5.2116E-08,A8=1.5473E-10,A10=0.0000E+00
第24面
K=0,A4=6.4394E-06,A6=1.5321E-08,A8=0.0000E+00,A10=0.0000E+00
第25面
K=0,A4=-1.0054E-05,A6=-3.1844E-09,A8=0.0000E+00,A10=0.0000E+00
第27面
K=-0.8643,A4=8.3394E-06,A6=-5.1963E-09,A8=0.0000E+00,A10=0.0000E+00
ズームデータ
ＷＥ          ＳＴ         ＴＥ
焦点距離    40.80         77.50         147.00
Fno          2.88          2.88           2.88
画角（２ω）29.55°       15.53°         8.24°
像高        10.82         10.82          10.82
BF          29.20         29.20          29.20  空気中
全長       151.88        151.88        151.88   〃
群間隔（無限）
ＷＥ          ＳＴ         ＴＥ
D 8        1.000         17.531         30.023
D14       39.858         19.827          1.716
D25        2.500          3.760          2.667
D27        6.127          6.403         16.258
D29        3.179          5.143          2.000
群間隔（物像間距離0.7m）
ＷＥ          ＳＴ         ＴＥ
D 0      546.080        546.080        546.080
D 8        1.000         17.531         30.023
D14       39.858         19.827          1.716
D25        3.072          5.863          9.475
D27        6.734          3.868          3.321
D29        2.000          5.575          8.129
各群焦点距離
ｆ１  92.809
ｆ２ -26.387
ｆ３  23.823
ｆ４ -19.153
ｆ５ -89.268
ｆ６  32.231
【０１３６】
数値実施例  2
面データ
面番号      ｒ           ｄ              ｎｄ           νｄ
1        224.1379       4.079           1.48749         70.23
2       -385.1974       0.150
3         57.8744       5.093           1.49700         81.54
4        133.2050       0.150
5         67.9609       2.500           1.90366         31.32
6         44.2704       1.949
7         45.7334       6.628           1.49700         81.54
8        263.9719       D8(可変)
9        128.2550       5.588           1.91082         35.25
10       -47.3000       1.600           1.69700         48.52
11        23.9824       2.664           1.92286         18.90
12        30.5465       5.390
13       -36.0447       1.500           1.83481         42.71
14       119.3580       D14(可変)
15明るさ絞り∞         1.250
16        26.4663       3.984           1.77250         49.60
17        85.0893       2.668
18        22.5884       5.730           1.43875         94.93
19      -213.4986       0.538
20      1058.5517       1.400           1.90366         31.32
21        23.7500       3.082
22        18.1277       4.245           1.49700         81.54
23        43.4126       0.150
24*       18.1696       3.319           1.58313         59.38
25*    -1988.2486       D25(可変)
26*     -178.1930       1.200           1.74320         49.29
27*       15.3626       D27(可変)
28*      217.1212       1.200           1.58313         59.38
29*       37.0521       D29(可変)
30        43.3556       4.912           1.80610         40.88
31       -51.7168       25.308
32          ∞          4.000           1.51633         64.14
33          ∞          0.800
像面(撮像面)
非球面係数
第24面
K=-0.1539,A4=-1.7974E-05,A6=9.7260E-08,A8=-5.2928E-10,A10=8.7249E-12
第25面
K=0,A4=4.5095E-05,A6=3.7225E-08,A8=8.2034E-10,A10=2.7708E-12
第26面
K=0,A4=-1.1341E-05,A6=-6.1677E-08,A8=3.5886E-09,A10=-2.9499E-11
第27面
K=-1.0873,A4=3.0008E-06,A6=7.9340E-08,A8=8.4760E-10,A10=-1.0821E-11
第28面
K=0,A4=1.2835E-05,A6=-5.6280E-09,A8=0.0000E+00,A10=0.0000E+00
第29面
K=1.5494,A4=4.4391E-06,A6=-1.9963E-08,A8=0.0000E+00,A10=0.0000E+00
ズームデータ
ＷＥ          ＳＴ         ＴＥ
焦点距離     40.80         77.96       147.00
Fno           2.88          2.88         2.88
画角（２ω） 29.53°       15.53°       8.26°
像高         10.82         10.82        10.82
BF           28.75         28.75        28.75   空気中
全長        151.88        151.88       151.88   〃
群間隔（無限）
ＷＥ          ＳＴ         ＴＥ
D 8        0.845         17.800         29.252
D14       40.030         19.950          1.500
D25        2.006          3.060          2.163
D27        5.835          6.396         17.752
D29        3.451          4.961          1.500
群間隔（物像間距離0.7m）
ＷＥ          ＳＴ         ＴＥ
D 0      546.700        546.700        546.700
D 8        0.845         17.800         29.252
D14       40.030         19.950          1.500
D25        2.616          5.188          8.818
D27        5.718          4.865          7.919
D29        2.958          4.364          4.678
各群焦点距離
ｆ１   94.630 
ｆ２  -26.657 
ｆ３   23.388 
ｆ４  -18.980 
ｆ５  -76.804 
ｆ６   29.948
【０１３７】
数値実施例  3
面データ
面番号      ｒ           ｄ              ｎｄ           νｄ
1         78.3067       6.287           1.48749         70.23
2           ∞          0.150
3         58.3004       2.357           1.80518         25.42
4         41.5439       1.972
5         42.9221       7.667           1.49700         81.54
6        300.3014       D6(可変)
7        133.8679       5.450           1.91082         35.25
8        -52.8170       1.600           1.69700         48.52
9         23.0332       2.938           1.92286         18.90
10        29.6919       6.656
11       -36.1478       1.500           1.83481         42.71
12       139.4883       D12(可変)
13明るさ絞り∞         1.250
14        25.3033       3.844           1.77250         49.60
15        62.4416       3.670
16        22.6985       5.048           1.43875         94.93
17      -176.8538       0.150
18       318.8681       1.400           1.90366         31.32
19        23.7626       1.958
20        21.4425       3.394           1.49700         81.54
21        54.1793       0.150
22*       17.0527       4.140           1.58313         59.38
23*    -1542.0344       D23(可変)
24*     -135.3978       1.200           1.74320         49.29
25*       15.9244       D25(可変)
26*      206.7566       1.200           1.58313         59.38
27*       34.7332       D27(可変)
28        44.1850       4.638           1.80610         40.88
29       -51.0153       28.038
30          ∞          4.000           1.51633         64.14
31          ∞          0.800
像面（撮像面）
非球面係数
第22面
K=0.1748,A4=-1.5676E-05,A6=8.9000E-08,A8=-6.2366E-10,A10=8.8579E-12
第23面
K=0,A4=5.1798E-05,A6=9.5847E-08,A8=2.9579E-10,A10=5.2940E-12
第24面
K=0,A4=-1.0232E-05,A6=2.2180E-07,A8=-2.2239E-09,A10=9.2648E-12
第25面
K=-1.1692,A4=7.5244E-06,A6=3.2729E-07,A8=-5.0891E-09,A10=3.2451E-11
第26面
K=0,A4=2.1885E-05,A6=-6.5454E-08,A8=0.0000E+00,A10=0.0000E+00
第27面
K=2.2748,A4=8.2210E-06,A6=-8.2973E-08,A8=0.0000E+00,A10=0.0000E+00
ズームデータ
ＷＥ          ＳＴ         ＴＥ
焦点距離     40.80        75.66        147.00
Fno           2.88         2.88          2.88
画角（２ω）29.67°       16.05°        8.26°
像高        10.82        10.82         10.82
BF          31.48        31.48         31.48    空気中
全長       151.88       151.88        151.88    〃
群間隔（無限）
ＷＥ          ＳＴ         ＴＥ
D 6        1.070         17.004         29.366
D12       39.214         20.413          1.500
D23        2.000          2.976          2.000
D25        5.476          6.525         17.422
D27        4.028          4.870          1.500
群間隔（物像間距離0.7m）
ＷＥ          ＳＴ         ＴＥ
D 0      546.700        546.700        546.700
D 6        1.070         17.004         29.366
D12       39.214         20.413          1.500
D23        2.579          4.862          8.283
D25        5.333          5.334          7.903
D27        3.592          4.175          4.736
各群焦点距離
ｆ１  92.7530 
ｆ２ -26.2412 
ｆ３  22.7291 
ｆ４ -19.1074 
ｆ５ -71.7747 
ｆ６  30.0259
【０１３８】
数値実施例  4
面データ
面番号      ｒ           ｄ              ｎｄ           νｄ
1         69.3745       6.700           1.48749         70.23
2        785.6394       0.150
3         48.6755       2.300           1.90366         31.32
4         34.6475       1.860
5         34.8467       9.880           1.43875         94.93
6       1099.2010       D6(可変)
7        127.3560       5.350           1.91082         35.25
8        -47.2895       1.600           1.73400         51.47
9         20.9985       3.050           1.92286         20.88
10        29.4558       5.310
11       -37.3953       1.500           1.83400         37.16
12        84.4109       D12(可変)
13明るさ絞り∞         1.250
14        24.9309       4.500           1.74400         44.78
15       129.7204       0.150
16        21.1517       4.210           1.43875         94.93
17        58.6483       1.400           1.90366         31.32
18        16.9308       1.230
19        17.1435       4.540           1.49700         81.54
20        96.2764       0.150
21*       22.1865       3.870           1.59201         67.02
22*     -161.5787       D22(可変)
23*      -77.5338       1.200           1.72903         54.04
24*       15.3397       D24(可変)
25       138.5435       1.200           1.74077         27.79
26        59.4845       D26(可変)
27        59.3614       5.140           1.70154         41.24
28       -36.9207       30.495
29          ∞          4.000           1.51633         64.14
30          ∞          0.800
像面（撮像面）
非球面係数
第21面
K=1.2214,A4=-3.5419E-05,A6=-5.2461E-08,A8=-6.2408E-10,A10=6.4572E-12
第22面
K=0,A4=2.0286E-05,A6=5.8252E-08,A8=-3.9011E-10,A10=8.5884E-12
第23面
K=0,A4=-2.7251E-05,A6=8.4374E-07,A8=-1.2333E-08,A10=6.9429E-11
第24面
K=-1.5489,A4=-1.2515E-06,A6=8.8028E-07,A8=-1.5441E-08,A10=1.0150E-10
ズームデータ
ＷＥ          ＳＴ         ＴＥ
焦点距離    40.80          76.12       147.00
Fno          2.88           2.88         2.88
画角（２ω）29.67°        15.90°       8.27°
像高        10.82          10.82        10.82
BF          33.93          33.93        33.93   空気中
全長       151.88         151.88       151.88   〃
群間隔（無限）
ＷＥ          ＳＴ         ＴＥ
D 6        0.800         15.955         26.474
D12       38.742         21.234          2.214
D22        2.000          3.098          3.063
D24        5.824          4.714         18.159
D26        4.044          6.409          1.500
群間隔（物像間距離0.7m）
ＷＥ          ＳＴ         ＴＥ
D 0      546.700        546.700        546.700
D 6        0.800         15.955         26.474
D12       38.742         21.234          2.214
D22        2.530          4.909          9.527
D24        6.391          3.344          5.111
D26        2.947          5.968          8.084
各群焦点距離
ｆ１   87.7817
ｆ２  -23.7840
ｆ３   21.2976
ｆ４  -17.4707
ｆ５ -141.6348
ｆ６   33.1775
【０１３９】
数値実施例  5
面データ
面番号      ｒ           ｄ              ｎｄ           νｄ
1        101.0042       3.000           2.00069         25.46
2         70.9827       7.100           1.49700         81.54
3       -380.7077       0.150
4         57.8570       6.400           1.49700         81.54
5        430.3072       D5(可変)
6        195.2492       4.600           2.00100         29.13
7        -53.3154       1.600           1.70154         41.24
8         25.5454       2.700           1.92286         18.90
9         33.9351       5.370
10       -40.0762       1.500           1.80610         40.92
11        71.8286       D11(可変)
12明るさ絞り∞         1.250
13        23.9404       4.940           1.73077         40.50
14        82.8711       0.580
15        23.2683       5.000           1.49700         81.54
16       152.1455       1.400           1.90366         31.32
17        17.4316       1.220
18        17.2959       5.350           1.49700         81.54
19       243.7126       0.150
20*       21.5646       4.000           1.58313         59.38
21*     -441.2009       D21(可変)
22      -112.2889       1.200           1.72903         54.04
23*       17.4561       D23(可変)
24*       49.0253       1.200           1.63930         44.87
25*       24.3386       D25(可変)
26        44.0591       5.100           1.76200         40.10
27       -55.1131       31.586
28          ∞          4.000           1.51633         64.14
29          ∞          0.800
像面（撮像面）
非球面係数
第20面
K=0.4266,A4=-2.9932E-05,A6=-1.1345E-07,A8= -5.3515E-10,A10=0.0000E+00
第21面
K=0,A4=1.5155E-05,A6=-8.0327E-08,A8=7.3673E-11,A10=0.0000E+00
第23面
K=-1.0346,A4=1.2152E-05,A6=-2.2375E-08,A8=-1.6219E-11,A10=0.0000E+00
第24面
K=0,A4=-3.3317E-07,A6=0.0000E+00,A8=0.0000E+00,A10=0.0000E+00
第25面
K=-0.9997,A4=-2.8738E-06,A6=0.0000E+00,A8=0.0000E+00,A10=0.0000E+00
ズームデータ
ＷＥ          ＳＴ         ＴＥ
焦点距離    40.80        75.77         147.00
Fno          2.88         2.88           2.88
画角（２ω）29.55°      15.99°         8.26°
像高        10.82        10.82          10.82
BF          35.02        35.02          35.02   空気中
全長       151.88       151.88         151.88   〃
群間隔（無限）
ＷＥ          ＳＴ         ＴＥ
D 5        1.159         17.060         27.773
D11       42.677         22.885          2.034
D21        1.743          2.890          2.747
D23        4.860          5.078         17.645
D25        2.608          5.134          2.848
群間隔（物像間距離0.7m）
ＷＥ          ＳＴ         ＴＥ
D 0      546.700        546.700        546.700
D 5        1.159         17.060         27.773
D11       42.677         22.885          2.034
D21        2.306          4.775          9.253
D23        4.689          4.688          7.627
D25        2.216          3.639          6.360
各群焦点距離
ｆ１  87.231
ｆ２ -26.381
ｆ３  23.304
ｆ４ -20.642
ｆ５ -77.066
ｆ６  32.863
【０１４０】
数値実施例  6
面データ
面番号      ｒ           ｄ              ｎｄ           νｄ
1         80.1028       2.300           1.90366         31.32
2         50.5589       0.770
3         50.2860       9.560           1.49700         81.54
4       -268.1012       0.150
5         50.9358       7.090           1.49700         81.54
6        435.6754       D6(可変)
7        135.7187       4.830           1.91082         35.25
8        -44.3532       1.600           1.69680         55.53
9         22.0220       2.510           1.92286         18.90
10        27.5103       4.810
11       -33.5645       1.500           1.91082         35.25
12        96.0071       D12(可変)
13明るさ絞り∞         1.250
14        25.2663       4.020           1.72000         41.98
15        63.0228       4.620
16        21.6993       5.140           1.49700         81.54
17       917.3736       0.210
18       150.9604       1.300           1.90366         31.32
19        21.4446       0.720
20        22.8790       3.300           1.49700         81.54
21        43.6271       0.770
22*       16.1524       4.840           1.58313         59.38
23*     -150.0281       D23(可変)
24       -89.8561       1.200           1.80610         40.92
25*       16.2721       D25(可変)
26        47.5311       2.070           1.92286         20.88
27        96.4449       D27(可変)
28       198.8617       3.430           1.74320         49.34
29*      -54.0459       29.525
30          ∞          4.000           1.51633         64.14
31          ∞          0.800
像面（撮像面）
非球面係数
第22面
K=0.6222,A4=-3.8497E-05,A6=1.9927E-09,A8=-1.5528E-09,A10=7.7231E-12
第23面
K=0,A4=4.4637E-05,A6=1.4329E-07,A8=-1.6623E-09,A10=1.9521E-11
第25面
K=-1.0646,A4= 4.2772E-06,A6=-9.2262E-09,A8=-1.0765E-10,A10=0.0000E+00
第29面
K=4.7637,A4=3.1439E-06,A6=7.8968E-09,A8=0.0000E+00,A10=0.0000E+00
ズームデータ
ＷＥ          ＳＴ         ＴＥ
焦点距離    40.80         78.17        147.00
Fno          2.88          2.88          2.88
画角（２ω）29.56°       15.47°        8.30°
像高        10.82         10.82         10.82
BF          32.96         32.96         32.96   空気中
全長       151.88        151.88        151.88   〃
群間隔（無限）
ＷＥ          ＳＴ         ＴＥ
D 6        1.000         15.086         23.724
D12       36.772         19.853          2.161
D23        2.324          3.517          2.825
D25        3.341          8.317          9.890
D27        7.492          4.156         12.329
群間隔（物像間距離0.7m）
ＷＥ          ＳＴ         ＴＥ
D 0      546.700        546.700        546.700
D 6        1.000         15.086         23.724
D12       36.772         19.853          2.161
D23        2.860          5.494          9.546
D25        3.000          7.582         11.985
D27        7.297          2.914          3.513
各群焦点距離
ｆ１  73.156
ｆ２ -21.320
ｆ３  22.948
ｆ４ -17.005
ｆ５  99.531
ｆ６  57.513
【０１４１】
数値実施例  7
面データ
面番号      ｒ           ｄ              ｎｄ           νｄ
1         69.4893       6.860           1.48749         70.23
2        565.7563       0.150
3         49.6451       2.000           1.90366         31.32
4         35.4454       1.840
5         35.6044       10.250          1.43875         94.93
6       1710.8247       D6(可変)
7        120.4454       5.550           1.91082         35.25
8        -44.7712       1.600           1.73400         51.47
9         21.0744       3.070           1.92286         20.88
10        29.6069       4.910
11       -36.2415       1.500           1.83400         37.16
12        86.6417       D12(可変)
13明るさ絞り∞         1.250
14        27.7712       4.350           1.74400         44.78
15       223.0077       1.100
16        22.9349       3.890           1.43875         94.93
17        57.3117       1.400           1.90366         31.32
18        17.2397       4.250           1.49700         81.54
19        62.1173       0.150
20*       20.4824       4.280           1.59201         67.02
21*     -106.2208       D21(可変)
22*     -125.2693       1.200           1.72903         54.04
23*       16.2033       D23(可変)
24        87.2011       1.200           1.78472         25.68
25        41.6649       D25(可変)
26        77.9370       4.430           1.83400         37.16
27*      -42.7999       30.335
28          ∞          4.000           1.51633         64.14
29          ∞          0.800
像面（撮像面）
非球面係数
第20面
K=1.2982,A4=-3.2411E-05,A6=-4.4282E-08,A8=-8.3773E-10,A10=5.0168E-12
第21面
K=0,A4=2.4624E-05,A6=6.0342E-08,A8=-7.2514E-10,A10=9.1331E-12
第22面
K=0,A4=-3.2217E-05,A6=9.1917E-07,A8=-1.2951E-08,A10=7.1111E-11
第23面
K=-1.6218,A4=-2.7136E-06,A6=1.0068E-06,A8=-1.6727E-08,A10=1.0766E-10
第27面
K=1.0102,A4=-7.9365E-07,A6=-1.8224E-09,A8=0.0000E+00,A10=0.0000E+00
ズームデータ
ＷＥ          ＳＴ         ＴＥ
焦点距離    40.80         77.80         147.00
Fno          2.88          2.88           2.88
画角（２ω）29.80°       15.58°         8.27°
像高        10.82         10.82          10.82
BF          33.77         33.77          33.77  空気中
全長       151.88        151.88         151.88  〃
群間隔（無限）
ＷＥ          ＳＴ         ＴＥ
D 6        1.000         17.244         27.378
D12       38.494         20.553          2.196
D21        1.826          2.949          2.808
D23        6.757          5.448         16.499
D25        4.804          6.687          4.000
群間隔（物像間距離0.7m）
ＷＥ          ＳＴ         ＴＥ
D 0      546.700        546.700        546.700
D 6        1.000         17.244         27.378
D12       38.494         20.553          2.196
D21        2.387          4.989          9.772
D23        6.978          3.527          4.962
D25        4.022          6.568          8.573
各群焦点距離
ｆ１   89.618 
ｆ２  -24.217 
ｆ３   21.418 
ｆ４  -19.610 
ｆ５ -102.868 
ｆ６   33.689
【０１４２】
図８〜図２１は、実施例１〜実施例７における（ａ）広角端（ＷＥ）、（ｂ）中間焦点距離状態（ＳＴ）、（ｃ）望遠端（ＴＥ）での諸収差図である。図８、図１０、図１２、図１４、図１６、図１８及び図２０は、各実施例のズームレンズの無限物点における収差図である。また、図９、図１１、図１３、図１５、図１７、図１９及び図２１は、各実施例のズームレンズの物像間距離０．７ｍ（至近状態）における収差図である。
【０１４３】
これら諸収差図において、ＳＡは球面収差、ＡＳは非点収差、ＤＴは歪曲収差、ＣＣは倍率色収差を示す。球面収差ＳＡは、５８７．６ｎｍ（ｄ線：実線）、４３５．８ｎｍ（ｇ線：長破線）、６５６．３ｎｍ（Ｃ線：短破線）の各波長について示されている。また、倍率色収差ＣＣは、ｄ線を基準としたときの４３５．８ｎｍ（ｇ線：長破線）、６５６．３ｎｍ（Ｃ線：短破線）の各波長について示されている。また、非点収差ＡＳは、実線がサジタル像面、破線がメリジオナル像面のものを示している。なお、ＦＮＯはＦナンバーを示す。ＦＩＹは像高を示す。
【０１４４】
上記実施例１〜７について、各構成要素の値及び各条件式（１）〜（９）の値を下記に示しておく。
実施例１  実施例２  実施例３  実施例４
条件式(1)        0.383     0.433     0.414     0.510
条件式(2)        3.828     3.057     2.547     2.597
条件式(3)        94.93     94.93     94.93     94.93
条件式(4)        1.685     2.065     2.318     1.913
条件式(5)        1.285     1.189     1.267     1.493
条件式(6)        2.740     0.708     0.712     0.399
条件式(6-1)      2.740     0.708     0.712     0.399
条件式(6-2)
条件式(7)        0.900     0.478     0.515     1.019
条件式(8)        3.603     3.603     3.603     3.603
条件式(9)        2.88      2.88      2.88      2.88
実施例５   実施例６  実施例７
条件式(1)       0.602     0.518     0.463
条件式(2)       2.840     2.972     2.779
条件式(3)       81.54     81.54     94.93
条件式(4)       1.909     2.444     1.972
条件式(5)       1.368     1.442     1.297
条件式(6)       0.336    -0.340     0.353
条件式(6-1)     0.336               0.353
条件式(6-2)              -0.340
条件式(7)       0.540     1.312     0.657
条件式(8)       3.603     3.603     3.603 
条件式(9)       2.88      2.88      2.88
【０１４５】
各実施例は、交換レンズ用途として使用でき、動画撮影にも好適な、大口径で高性能な望遠ズームレンズを達成している。
【０１４６】
図２２は、本実施形態のズームレンズを用い、撮像素子として小型のＣＣＤ又はＣＭＯＳなどを用いた撮像装置としての一眼ミラーレスカメラの断面図である。図２２において、１は一眼ミラーレスカメラ、２は鏡筒内に配置された撮像レンズ系、３は撮像レンズ系２を一眼ミラーレスカメラ１に着脱可能とする鏡筒のマウント部であり、スクリュータイプやバヨネットタイプ等のマウントが用いられる。この例では、バヨネットタイプのマウントを使用している。また、４は撮像素子面、５はバックモニターである。
【０１４７】
このような構成の一眼ミラーレスカメラ１の撮像レンズ系２として、例えば上記実施例１〜７に示した本実施形態のズームレンズが用いられる。
【０１４８】
図２３、図２４は、ズームレンズを撮影光学系４１に組み込んだ、本実施形態の撮像装置の構成の概念図を示す。図２３は撮像装置としてのデジタルカメラ４０の外観を示す前方斜視図、図２４は同背面斜視図である。
【０１４９】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のレンズ系を通して撮影が行われる。撮影光学系４１によって形成された物体像が結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記録手段に記録することができる。
【０１５０】
図２５〜図２７は、ズームレンズを撮影光学系４１に組み込んだ他の撮像装置の構成の概念図を示す。図２５はデジタルカメラ４０の外観を示す前方斜視図、図２６は同背面図、図２７はデジタルカメラ４０の構成を示す模式的な横断面図である。
【０１５１】
デジタルカメラ４０は、この例の場合、撮影用光路４２上に位置する撮影光学系４１、ファインダー用光路４４上に位置するファインダー光学系４３、シャッターボタン４５、ポップアップストロボ４６、液晶表示モニター４７等を含み、カメラ４０の上部に配置されたシャッターボタン４５を押圧すると、それに連動して撮影光学系４１、例えば実施例１のレンズを通して撮影が行われる。撮影光学系４１によって形成された物体像が、結像面近傍に設けた撮像素子としてのＣＣＤ４９の撮像面（光電変換面）上に形成される。このＣＣＤ４９で受光された物体像は、処理手段５１を介し、電子画像としてカメラ背面に設けられた液晶表示モニター４７や、ファインダー用画像表示素子５４に表示される。また、この処理手段５１には記録手段５２が接続され、撮影された電子画像を記録することもできる。
【０１５２】
なお、この記録手段５２は処理手段５１と別体に設けてもよいし、フレキシブルディスクやメモリーカード、ＭＯ等により電子的に記録書込を行うように構成してもよい。
【０１５３】
さらに、ファインダー用光路４４上にはファインダー用接眼レンズ５９が配置してある。ファインダー用画像表示素子５４に表示された物体像が、このファインダー用接眼レンズ５９によって拡大および観察者が見やすい視度に調整され、観察者眼球Ｅに導かれている。なお、ファインダー用接眼レンズ５９の射出側にカバー部材５０が配置されている。
【０１５４】
図２８は、本実施形態のデジタルカメラ４０の主要部の内部回路を示すブロック図である。なお、以下の説明では、前述した処理手段５１は、例えば、ＣＤＳ／ＡＤＣ部２４、一時記憶メモリ１７、画像処理部１８等で構成され、記憶手段５２は、記憶媒体部等で構成される。
【０１５５】
図２８に示されるように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１５６】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０１５７】
操作部１２は、各種の入力ボタンやスイッチを備え、これらを介して外部（カメラ使用者）から入力されるイベント情報を制御部に通知する。制御部１３は、例えばＣＰＵなどからなる中央演算処理装置であって、不図示のプログラムメモリを内蔵し、プログラムメモリに格納されているプログラムに従って、デジタルカメラ４０全体を制御する。
【０１５８】
ＣＣＤ４９は、撮像駆動回路１６により駆動制御され、撮像光学系４１を介して形成された物体像の画素ごとの光量を電気信号に変換し、ＣＤＳ／ＡＤＣ部２４に出力する撮像素子である。
【０１５９】
ＣＤＳ／ＡＤＣ部２４は、ＣＣＤ４９から入力される電気信号を増幅し、かつ、アナログ／デジタル変換を行って、この増幅とデジタル変換を行っただけの映像生データ（ベイヤーデータ、以下ＲＡＷデータという。）を一時メモリ１７に出力する回路である。
【０１６０】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて各種画像処理を電気的に行う回路である。
【０１６１】
記憶媒体部１９は、例えばフラッシュメモリ等からなるカード型又はスティック型の記憶媒体を着脱自在に装着して、これらのフラッシュメモリに、一時記憶メモリ１７から転送されるＲＡＷデータや画像処理部１８で画像処理された画像データを記録して保持する。
【０１６２】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０１６３】
このように構成されたデジタルカメラ４０は、撮像光学系４１として本発明のズームレンズを採用することで、明るく、高性能ながら小型で動画撮像に適した撮像装置とすることが可能となる。
【０１６４】
以上、本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【０１６５】
１…レンズ交換式カメラ
２…撮像レンズ系
３…マウント部
４…撮像素子面
５…バックモニター
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
【図１】
2014153400.tif 000003
【図２】
2014153400.tif 000004
【図３】
2014153400.tif 000005
【図４】
2014153400.tif 000006
【図５】
2014153400.tif 000007
【図６】
2014153400.tif 000008
【図７】
2014153400.tif 000009
【図８】
2014153400.tif 000010
【図９】
2014153400.tif 000011
【図１０】
2014153400.tif 000012
【図１１】
2014153400.tif 000013
【図１２】
2014153400.tif 000014
【図１３】
2014153400.tif 000015
【図１４】
2014153400.tif 000016
【図１５】
2014153400.tif 000017
【図１６】
2014153400.tif 000018
【図１７】
2014153400.tif 000019
【図１８】
2014153400.tif 000020
【図１９】
2014153400.tif 000021
【図２０】
2014153400.tif 000022
【図２１】
2014153400.tif 000023
【図２２】
2014153400.tif 000024
【図２３】
2014153400.tif 000025
【図２４】
2014153400.tif 000026
【図２５】
2014153400.tif 000027
【図２６】
2014153400.tif 000028
【図２７】
2014153400.tif 000029
【図２８】
2014153400.tif 000030